(57)【要約】      （修正有）【課題】通路側から施工でき、施工時間を短縮することができ、汎用性の高い、取付金具を提供する。【解決手段】既設柵にフェンス１０を取り付ける際に用いられる取付金具１であって、フェンスの支柱１２に当接される平板状の第１平板部２と、既設柵の支柱８１に当接される平板状の第２平板部３と、フェンスの支柱１２と第１平板部２とを締結する第１締結部４と、既設柵の支柱８１と第２平板部３とを締結する第２締結部５と、を備える。【選択図】図３
2020165261.tif 000002
【特許請求の範囲】
【請求項１】
既設柵にフェンスを取り付ける際に用いられる取付金具であって、
前記フェンスの支柱に近接する平板状の第１平板部と、
前記既設柵の支柱に近接する平板状の第２平板部と、
前記フェンスの支柱と前記第１平板部とを締結する第１締結部と、
前記既設柵の支柱と前記第２平板部とを締結する第２締結部と、を備えること
を特徴とする取付金具。
【請求項２】
前記第２平板部は、平面視で前記第１平板部に対して略直交に設けられること
を特徴とする請求項１記載の取付金具。
【請求項３】
前記第１平板部と前記第２平板部とを連結する補強部材を更に備えること
を特徴とする請求項１又は２記載の取付金具。
【請求項４】
前記第１締結部は、前記第１平板部及び前記フェンスの支柱を貫通する第１ボルトと、前記第１ボルトに螺着される第１ナットと、を有すること
を特徴とする請求項１〜３の何れか１項記載の取付金具。
【請求項５】
前記第２締結部は、前記第２平板部及び前記既設柵の支柱を貫通する第２ボルトと、前記第２ボルトに螺着される第２ナットと、を有すること
を特徴とする請求項１〜３の何れか１項記載の取付金具。
【請求項６】
前記第１締結部は、前記第１平板部を貫通する第１ボルトと、前記第１ボルトに螺着される第１ナットとを有し、
前記第１ボルトは、前記フェンスの支柱を挟んで配置されるとともに前記第１ナットが螺着される一対の第１挟持部と、前記フェンスの支柱を挟んで前記第１平板部の反対側に配置されるとともに一対の前記第１挟持部を繋ぐ第１繋ぎ部と、を有すること
を特徴とする請求項１〜３の何れか１項記載の取付金具。
【請求項７】
前記第２締結部は、前記第２平板部を貫通する第２ボルトと、前記第２ボルトに螺着される第２ナットとを有し、
前記第２ボルトは、前記既設柵の支柱を挟んで配置されるとともに前記第２ナットが螺着される一対の第２挟持部と、前記既設柵の支柱を挟んで前記第２平板部の反対側に配置されるとともに一対の前記第２挟持部を繋ぐ第２繋ぎ部と、を有すること
を特徴とする請求項１〜３の何れか１項記載の取付金具。
【請求項８】
請求項１〜７の何れか１項記載の取付金具を用いて既設柵に取り付けられるフェンスであって、
フェンスパネルと、
フェンスパネルが取り付けられる前記フェンスの支柱と、
前記既設柵の支柱に前記フェンスの支柱を取り付ける請求項１〜７の何れか１項の記載の取付金具と、を備えること
を特徴とするフェンス。
【請求項９】
請求項１〜７の何れか１項記載の取付金具を用いて既設柵にフェンスを取り付けるフェンスの取付方法であって、
前記フェンスの支柱と前記第１平板部とを、前記第１締結部により締結する第１締結工程と、
前記既設柵の支柱と前記第２平板部とを、前記第２締結部により締結する第２締結工程と、
前記フェンスの支柱にフェンスパネルを取り付けるフェンスパネル取付工程と、を備えること
を特徴とするフェンスの取付方法。
【発明の詳細な説明】
【技術分野】
【０００１】
本発明は、既設柵にフェンスを取り付ける際に用いられる取付金具、この取付金具を用いたフェンス、及びフェンスの取付方法に関する。
【背景技術】
【０００２】
工場等の生産ラインには、機械設備が設けられる機械設備側と、人等が通行する通路側とを隔てるものとして、既設柵が設置されている。既設柵は、手摺となる横桟とその下側の横桟との上下方向の間隔が大きいため、生産ラインの既設柵を作業者がくぐったり、柵の隙間から手を入れる等、不安全な行動を防ぐには不十分である。このため、既設柵にフェンスを取り付けて、工場等における事故を未然に防止し、安全性を更に向上させる必要性が高まっている。
【０００３】
従来、図１４に示すように、取付具９を用いて、既設柵９９にフェンス９８が取り付けられている。この従来の取付具９は、フェンス９８におけるフェンスパネル９８ａを支持するフェンス支柱９８ｂに取り付けられる平板状の平板９ａと、既設柵９９の横桟９９ａに取り付けられる湾曲された湾曲板９ｂとを有する。この取付具９は、既設柵９９の横桟９９ａを挟んで配置される平板９ａと湾曲板９ｂとがボルトナット等の締結具９ｃで締結される。
【０００４】
特許文献１には、支持枠材の背面側にボルトを有する掴み金具の本体側が配置され、前記支持枠材の前面側にフェンスパネルが配置されて支持枠材に取り付けられ、前記掴み金具は互いに対向する係合アームを備えており、前記ボルトは支持枠材に挿通されて、その支持枠材の前面側に配置された雌ねじ部材にねじ込まれ、前記ボルトは前記支持枠材の前面側から操作可能に配置されている安全フェンスが開示されている。
【０００５】
特許文献２には、中央にボルト穴を穿設すると共に、該ボルト穴の両側に半円弧状曲面の抱持部を形成して成るボルト穴付き連結片と、上記ボルト穴に挿通するボルトを中央に一体的に取付け、上記抱持部と共にバリケードフェンスの支柱を挟む半円弧状曲面の抱持部を上記ボルトの両側に形成して成るボルト付き連結片から構成したことを特徴とするバリケードフェンスの連結金物が開示されている。
【先行技術文献】
【特許文献】
【０００６】
【特許文献１】特開２０１１−１６９９号公報
【特許文献２】実開平６−８６４２号公報
【発明の概要】
【発明が解決しようとする課題】
【０００７】
しかしながら、従来の取付具９は、締結具９ｃを締結することにより、既設柵９９の横桟９９ａを挟んで配置される平板９ａと湾曲板９ｂとが近づくように変形してしまう。このため、取付具９自体が横桟９９ａに対して回転するように動いてしまう。これにより、既設柵９９にフェンス９８を取り付ける際に、既設柵９９に対するフェンス支柱９８ｂの位置を安定させることができず、施工に時間が掛かるという問題点があった。
【０００８】
また、工場等に設置される既設柵は、様々な形状の支柱や横桟が用いられている。特許文献１の開示技術は、既設柵の支柱や横桟に掴み金具を固定するものの、掴み金具の形状を、既設柵の支柱や横桟に応じて変更する必要がある。また、特許文献２の開示技術は、抱持部が半円弧状曲面であるため、円筒状の支柱に用いることができるものの、支柱の形状によっては用いることができない。このように、特許文献１、２の開示技術は、既設柵の支柱や横桟によっては用いることができず、汎用性が低いという問題点があった。
【０００９】
また、既設柵にフェンスを取り付ける場合、稼働中の機械設備が設けられる機械設備側から施工を行うのは危険である。このため、既設柵を挟んで機械設備の反対側である通路側から既設柵にフェンスを取り付けられることが求められる。
【００１０】
そこで、本発明は、上述した問題点に鑑みて案出されたものであり、その目的とするところは、通路側から施工でき、施工時間を短縮することができ、汎用性の高い、取付金具、フェンス、及びフェンスの取付方法を提供することにある。
【課題を解決するための手段】
【００１１】
第１発明に係る取付金具は、既設柵にフェンスを取り付ける際に用いられる取付金具であって、前記フェンスの支柱に近接する平板状の第１平板部と、前前記既設柵の支柱に近接する平板状の第２平板部と、前記フェンスの支柱と前記第１平板部とを締結する第１締結部と、前記既設柵の支柱と前記第２平板部とを締結する第２締結部と、を備えることを特徴とする。
【００１２】
第２発明に係る取付金具は、第１発明において、前記第２平板部は、上下方向から見て前記第１平板部に対して略直交に設けられることを特徴とする。
【００１３】
第３発明に係る取付金具は、第１発明又は第２発明において、前記第１平板部と前記第２平板部とを連結する補強部材を更に備えることを特徴とする。
【００１４】
第４発明に係る取付金具は、第１発明〜第３発明の何れかにおいて、前記第１締結部は、前記第１平板部及び前記フェンスの支柱を貫通する第１ボルトと、前記第１ボルトに螺着される第１ナットと、を有することを特徴とする。
【００１５】
第５発明に係る取付金具は、第１発明〜第３発明の何れかにおいて、前記第２締結部は、前記第２平板部及び前記既設柵の支柱を貫通する第２ボルトと、前記第２ボルトに螺着される第２ナットと、を有することを特徴とする。
【００１６】
第６発明に係る取付金具は、第１発明〜第３発明の何れかにおいて、前記第１締結部は、前記第１平板部を貫通する第１ボルトと、前記第１ボルトに螺着される第１ナットとを有し、前記第１ボルトは、前記フェンスの支柱を挟んで配置されるとともに前記第１ナットが螺着される一対の第１挟持部と、前記フェンスの支柱を挟んで前記第１平板部の反対側に配置されるとともに一対の前記第１挟持部を繋ぐ第１繋ぎ部と、を有することを特徴とする。
【００１７】
第７発明に係る取付金具は、第１発明〜第３発明の何れかにおいて、前記第２締結部は、前記第２平板部を貫通する第２ボルトと、前記第２ボルトに螺着される第２ナットとを有し、前記第２ボルトは、前記既設柵の支柱を挟んで配置されるとともに前記第２ナットが螺着される一対の第２挟持部と、前記既設柵の支柱を挟んで前記第２平板部の反対側に配置されるとともに一対の前記第２挟持部を繋ぐ第２繋ぎ部と、を有することを特徴とする。
【００１８】
第８発明に係るフェンスは、第１発明〜第７発明の何れか記載の取付金具を用いて既設柵に取り付けられるフェンスであって、フェンスパネルと、フェンスパネルが取り付けられる前記フェンスの支柱と、前記既設柵の支柱に前記フェンスの支柱を取り付ける第１発明〜第７発明の何れか記載の取付金具と、を備えることを特徴とする。
【００１９】
第９発明に係るフェンスの取付方法は、第１発明〜第７発明の何れか記載の取付金具を用いて既設柵にフェンスを取り付けるフェンスの取付方法であって、前記フェンスの支柱と前記第１平板部とを、前記第１締結部により締結する第１締結工程と、前記既設柵の支柱と前記第２平板部とを、前記第２締結部により締結する第２締結工程と、前記フェンスの支柱にフェンスパネルを取り付けるフェンスパネル取付工程と、を備えることを特徴とする。
【発明の効果】
【００２０】
第１発明〜第７発明によれば、近接する第１平板部とフェンスの支柱とが第１締結部４により締結されるため、第１平板部とフェンスの支柱とを安定した状態で締結できる。また、近接する第２平板部と既設柵の支柱とが第２締結部により締結されるため、第２平板部と既設柵の支柱とを安定した状態で締結できる。このため、取付金具がフェンスの支柱及び既設柵の支柱に対して回転することなく、既設柵の支柱に対するフェンスの支柱の位置を容易に固定することができる。その結果、既設柵にフェンスを取り付ける施工時間を短縮することができる。
【００２１】
また、第１発明〜第７発明によれば、フェンスの支柱の形状によらず、フェンスの支柱と第１平板部２とを第１締結部により締結できる。また、既設柵の支柱の形状によらず、既設柵の支柱と第２平板部とを第２締結部により締結できる。このため、汎用性を高くすることが可能となる。
【００２２】
また、第１発明〜第７発明によれば、取付金具を介して、フェンスの支柱が既設柵の支柱に取り付けられる。このため、作業者が通路側から施工することが可能となる。
【００２３】
特に、第２発明によれば、既設柵の支柱が設置された位置から機械設備側又は通路側にずらした位置で、フェンスの支柱を既設柵の支柱に取り付けることができる。このため、一の既設柵の支柱とこれに隣接する他の既設柵の支柱との距離が狭い場合であっても、既設柵の支柱にフェンスの支柱を取り付けることができ、汎用性を更に高くすることが可能となる。
【００２４】
特に、第３発明によれば、フェンスや既設柵に外力が作用したとしても、第１平板部と第２平板部とが変形するのを抑制することができる。このため、フェンスの支柱と既設柵の支柱とがより強固に取り付けられる。
【００２５】
特に、第４発明によれば、第１平板部とフェンスの支柱とを強固に締結することが可能となる。
【００２６】
特に、第５発明によれば、第２平板部と既設柵の支柱とを強固に締結することが可能となる。
【００２７】
特に、第６発明によれば、フェンスの支柱が第１平板部と第１ボルトとにより囲われて、フェンスの支柱と第１平板部とが締結される。このため、第１平板部がフェンスの支柱に当接できる位置に、取付金具を取り付けることが可能となり、汎用性をより高くすることが可能となる。
【００２８】
特に、第７発明によれば、既設柵の支柱が第２平板部と第２ボルトとにより囲われて、既設柵の支柱と第２平板部とが締結される。このため、第２平板部が既設柵の支柱に当接できる位置に、取付金具を取り付けることが可能となり、汎用性をより高くすることが可能となる。
【００２９】
第８発明によれば、取付金具を備える。これにより、通路側から施工でき、施工時間を短縮することができ、汎用性の高くすることが可能となる。
【００３０】
第９発明によれば、近接する第１平板部とフェンスの支柱とが第１締結部により締結されるため、第１平板部とフェンスの支柱とを安定した状態で締結できる。また、近接する第２平板部と既設柵の支柱とが第２締結部により締結されるため、第２平板部と既設柵の支柱とを安定した状態で締結できる。このため、取付金具がフェンスの支柱及び既設柵の支柱に対して回転することなく、既設柵の支柱に対するフェンスの支柱の位置を容易に固定することができる。その結果、既設柵にフェンスを取り付ける施工時間を短縮することができる。
【００３１】
また、第９発明によれば、フェンスの支柱の形状によらず、フェンスの支柱と第１平板部とを第１締結部により締結できる。また、既設柵の支柱の形状によらず、既設柵の支柱と第２平板部とを第２締結部により締結できる。このため、汎用性を高くすることが可能となる。
【００３２】
また、第９発明によれば、取付金具を用いて、既設柵の支柱にフェンスを取り付ける。このため、作業者が通路側から施工することが可能となる。
【図面の簡単な説明】
【００３３】
【図１】図１は、実施形態におけるフェンス及び取付金具の一例を示す側面図である。
【図２】図２は、実施形態におけるフェンス及び取付金具の一例を示す正面図である。
【図３】図３は、実施形態におけるフェンス及び取付金具の一例を示す拡大平面図である。
【図４】図４は、実施形態におけるフェンス及び取付金具の一例を示す拡大側面図である。
【図５】図５は、実施形態における取付金具の一例を示す斜視図である。
【図６】図６（ａ）は、実施形態における第１締結工程を説明するための図であり、図６（ｂ）は、実施形態における第２締結工程を説明するための図である。
【図７】図７（ａ）〜（ｃ）は、取付金具の第１変形例〜第３変形例を上下方向Ｚから見た図である。
【図８】図８（ａ）〜（ｃ）は、取付金具の第４変形例〜第６変形例を上下方向Ｚから見た図である。
【図９】図９は、取付金具の第７変形例を上下方向Ｚから見た図である。
【図１０】図１０（ａ）は、取付金具の第８変形例を上下方向Ｚから見た図であり、図１０（ｂ）は、取付金具の第９変形例を上下方向Ｚから見た図である。
【図１１】図１１（ａ）は、取付金具の第１０変形例を上下方向Ｚから見た図であり、図１１（ｂ）は、取付金具の第１１変形例を上下方向Ｚから見た図である。
【図１２】図１２（ａ）は、取付金具の第１２変形例を上下方向Ｚから見た図であり、図１２（ｂ）は、取付金具の第１３変形例を上下方向Ｚから見た図である。
【図１３】図１３（ａ）〜（ｃ）は、取付金具の第１４変形例を上下方向Ｚから見た図である。
【図１４】従来の取付具を示す図である。
【発明を実施するための形態】
【００３４】
以下、本発明を適用した取付金具、フェンス、及びフェンスの取付方法を実施するための形態について、図面を参照しながら詳細に説明する。
【００３５】
図１は、実施形態におけるフェンス１０及び取付金具１の一例を示す側面図である。図２は、実施形態におけるフェンス１０及び取付金具１の一例を示す正面図である。図３は、実施形態におけるフェンス１０及び取付金具１の一例を示す拡大平面図である。図４は、実施形態におけるフェンス１０及び取付金具１の一例を示す拡大側面図である。
【００３６】
フェンス１０は、既設柵８に取り付けられる。既設柵８は、工場等に設置され、機械設備等が設けられる機械設備側Ａと、人等の通行する通路側Ｂとを隔てるものである。既設柵８は、上下方向Ｚに延びる既設柵の支柱８１と、既設柵の支柱８１に対して直交して水平方向に延びる横桟８２とを有して、門型に形成されている。
【００３７】
フェンス１０は、フェンスパネル１１と、フェンスパネル１１が取り付けられる上下方向に延びるフェンスの支柱１２と、フェンスの支柱１２を既設柵８に取り付ける取付金具１と、を備える。
【００３８】
フェンスパネル１１は、例えば、格子状フェンスパネルが用いられ、上下方向Ｚに延びる複数の縦線材１１ａと、縦線材１１ａに直交する方向に延びる複数の横線材１１ｂとを有する。なお、フェンスパネル１１は、メッシュフェンスパネル、菱形金網等の金網からなるフェンスパネル、板状パネルからなるフェンスパネル、山形または波形パネルからなるフェンスパネルのいずれかが用いられてもよい。
【００３９】
フェンスの支柱１２は、例えば、上下方向Ｚに延びて形成され、上下方向Ｚから見てハット形に形成される。フェンスの支柱１２は、固定金具１３を介して、フェンスパネル１１が取り付けられる。フェンスの支柱は、孔１２ａが形成される。
【００４０】
（取付金具１）
図５は、実施形態における取付金具１の一例を示す斜視図である。取付金具１は、第１平板部２と、第２平板部３と、第１締結部４と、第２締結部５と、を有する。
【００４１】
（第１平板部２）
第１平板部２は、フェンスの支柱１２に当接して平板状に形成される金属製等の板材である。第１平板部２は、孔２ａが１箇所に形成される。第１平板部２は、孔２ａが２箇所以上に形成されてもよい。また、第１平板部２とフェンスの支柱１２とは当接していなくてもよく、取付金具１の向きを調節するために図示しないスペーサー等を介して、第１平板部２とフェンスの支柱１２とが離間していても良い。つまり、取付金具１とフェンスの支柱１２との向きが合わない場合、スペーサー等を介して締結すれば、取付金具１の向きを調節することができる。したがって、取付金具１とフェンスの支柱１２とは、近接して、締結されることが望ましい。
【００４２】
（第２平板部３）
第２平板部３は、既設柵の支柱８１に当接して平板状に形成される金属製等の板材である。第２平板部３は、平面視で第１平板部２に対して略直交して設けられる。第２平板部３は、孔３ａが２箇所に形成される。なお、第２平板部３は、孔３ａが１箇所に形成されてもよいし、孔３ａが２箇所に以上に形成されてもよい。第１平板部２と第２平板部３とは、一体の部材で形成されて、折り曲げられた一端側が第１平板部２であり、折り曲げられた他端側が第２平板部３である。なお、「平面視で」とは上下方向Ｚから見ることを示す。また、第２平板部３と既設柵の支柱８１とは当接していなくてもよく、取付金具１の向きを調節するために図示しないスペーサー等を介して、第２平板部３と既設柵の支柱８１とが、離間していても良い。つまり、取付金具１と既設柵の支柱８１との向きが合わない場合、スペーサー等を介して締結すれば、取付金具１の向きを調節することができる。したがって、取付金具１と既設柵の支柱８１とは、近接して、締結されることが望ましい。
【００４３】
（第１締結部４）
第１締結部４は、フェンスの支柱１２と第１平板部２とを締結する。第１締結部４は、フェンスの支柱１２と第１平板部２の孔２ａとに貫通される第１ボルト４０と、第１ボルト４０に螺着される第１ナット４９とを有する。第１ボルト４０は、軸部が直線状に延びた棒状に形成される。
【００４４】
（第２締結部５）
第２締結部５は、既設柵の支柱８１と第２平板部３とを締結する。第２締結部５は、第２平板部３の孔３ａに貫通される第２ボルト５３と、第２ボルト５３に螺着される第２ナット５９とを有する。
【００４５】
第２ボルト５３は、上下方向Ｚから見てＵ字状に形成されるＵ字ボルトが用いられる。第２ボルト５３は、既設柵の支柱８１を挟んで配置される一対の第２挟持部５１、５１と、既設柵の支柱８１を挟んで第２平板部３の反対側に配置されるとともに一対の第２挟持部５１、５１を繋ぐ第２繋ぎ部５２と、を有する。第２ボルト５３は、一対の第２挟持部５１、５１は、互いに略同一の長さで形成される。第２挟持部５１は、先端部にネジ山が形成され、第２ナット５９が螺着される。第２繋ぎ部５２は、上下方向Ｚから見て、湾曲した形状に形成される。
【００４６】
（補強部材６）
取付金具１は、更に第１平板部２と第２平板部３とを連結する補強部材６を有している。
【００４７】
補強部材６は、金属製等の板材が用いられ、平面視でＬ字状に形成される。補強部材６は、第１平板部２の上端と第２平板部３の上端とを連結しており、補強部材６と、第１平板部２または第２平板部３とは、水平方向から見てＬ字状に形成されている。具体的には、補強部材６は、第１平板部２及び第２平板部３と一体の部材であり、第１平板部２の上端と第２平板部３の上端のいずれかまたは両方の一部分が切り欠かれて、かつ折り曲げられて、第１平板部２の上端と第２平板部３の上端同士が連結されて形成されている。
【００４８】
取付金具１は、第１平板部２を備えるＬ字状の部材と第２平板部３を突き合わせて溶接したものでもよい。また、取付金具１は、鉤型の板材を折り曲げて形成されるものであって、Ｌ字状の補強部材６の一端を折り曲げて第１平板部２を形成し、他端を折り曲げて第２平板部３を形成し、第１平板部２と第２平板部を連結させて形成されてもよい。なお、第１平板部２と第２平板部３は１枚の板材が折り曲げられて形成されて、別体の補強部材６を第１平板部２と第２平板部３に連結してもよい。さらに、補強部材６は第１締結部４及び第２締結部５の締結の邪魔にならなければ、第１平板部２の下端と第２平板部３の下端とを連結するものであってもよい。
【００４９】
（フェンスの取付方法）
次に、本実施形態におけるフェンスの取付方法について、説明する。図６（ａ）は、実施形態における第１締結工程を説明するための図であり、図６（ｂ）は、実施形態における第２締結工程を説明するための図である。フェンスの取付方法は、第１締結工程と、第２締結工程と、フェンスパネル取付工程とを備える。
【００５０】
（第１締結工程）
第１締結工程では、図６（ａ）に示すように、フェンス１０のフェンスの支柱１２と、取付金具１の第１平板部２とを、第１締結部４により締結する。具体的には、第１締結工程では、フェンスの支柱１２の孔１２ａと、第１平板部２の孔２ａとに、第１ボルト４０を貫通させ、貫通させた第１ボルト４０に、第１ナット４９を螺着する。これにより、取付金具１がフェンスの支柱１２に取り付けられることとなる。また、第１締結工程では、例えば、図１１（ａ）に示すように、第１ボルト４３がフェンスの支柱１２に取り付けられた取付金具１の第１平板部２と、フェンスの支柱１２とを、第１締結部４により締結してもよい。具体的には、第１締結工程では、先ず、第１平板部２をフェンスの支柱１２に当接させる。そして、第１締結工程では、第１平板部２の各々の孔２ａ、２ａに一対の第１挟持部４１、４１を貫通させる。これにより、フェンスの支柱１２が、第１平板部２と第１ボルト４３とにより囲まれる。そして、第１締結工程では、一対の第１挟持部４１に第１ナット４９をそれぞれ螺着させる。これにより、取付金具１がフェンスの支柱１２に取り付けられることとなる。
【００５１】
（第２締結工程）
次に、第２締結工程では、図６（ｂ）に示すように、フェンスの支柱１２に取り付けられた取付金具１の第２平板部３と、既設柵８の既設柵の支柱８１とを、第２締結部５により締結する。具体的には、第２締結工程では、先ず、第２平板部３を既設柵の支柱８１に当接させる。そして、第２締結工程では、第２平板部３の各々の孔３ａ、３ａに一対の第２挟持部５１、５１を貫通させる。これにより、既設柵の支柱８１が、第２平板部３と第２ボルト５３とにより囲まれる。そして、第２締結工程では、一対の第２挟持部５１に第２ナット５９をそれぞれ螺着させる。これにより、フェンスの支柱１２が既設柵の支柱８１に取り付けられることとなる。作業者は、このフェンスの支柱１２を既設柵の支柱８１に取り付ける作業を、通路側Ｂから行うことができる。また、第２締結工程では、例えば、図１３（ａ）に示すように、第２ボルト５０が既設柵８のフェンスの支柱８１と、取付金具１の第２平板部３とを、第２締結部５により締結してもよい。具体的には、第２締結工程では、既設柵の支柱８１の孔と、第２平板部３の孔３ａとに、第２ボルト５０を貫通させ、貫通させた第２ボルト５０に、第２ナット５９を螺着する。これにより、これにより、フェンスの支柱１２が既設柵の支柱８１に取り付けられることとなる。作業者は、このフェンスの支柱１２を既設柵の支柱８１に取り付ける作業を、通路側Ｂから行うことができる。
【００５２】
（フェンスパネル取付工程）
次に、フェンスパネル取付工程では、図３に示すように、フェンスの支柱１２にフェンスパネル１１を取り付ける。フェンスパネル取付工程では、フェンスの支柱１２に固定金具１３を介してフェンスパネル１１を取り付ける。作業者は、このフェンスの支柱１２にフェンスパネル１１を取り付ける作業を、通路側Ｂから行うことができる。
【００５３】
以上により、フェンスの取付方法が完了する。
【００５４】
本実施形態に係る取付金具１によれば、フェンスの支柱１２に近接する平板状の第１平板部２と、既設柵の支柱８１に近接する平板状の第２平板部３と、を備える。これにより、近接する第１平板部２とフェンスの支柱１２とが第１締結部４により締結されるため、第１平板部２とフェンス１０の支柱１２とを安定した状態で締結できる。また、近接する第２平板部３と既設柵の支柱８１とが第２締結部５により締結されるため、第２平板部３と既設柵の支柱８１とを安定した状態で締結できる。このため、取付金具１がフェンスの支柱１２及び既設柵の支柱８１に対して回転することなく、既設柵の支柱８１に対するフェンスの支柱１２の位置を容易に固定することができる。その結果、既設柵８にフェンス１０を取り付ける施工時間を短縮することができる。
【００５５】
また、本実施形態に係る取付金具１によれば、取付金具１は、フェンスの支柱１２と第１平板部２とを締結する第１締結部４と、既設柵の支柱８１と第２平板部３とを締結する第２締結部５と、を備える。これにより、フェンスの支柱１２の形状によらず、フェンスの支柱１２と第１平板部２とを第１締結部４により締結できる。また、既設柵の支柱８１の形状によらず、既設柵の支柱８１と第２平板部３とを第２締結部５により締結できる。このため、汎用性を高くすることが可能となる。
【００５６】
また、本実施形態に係る取付金具１によれば、取付金具１を介して、フェンスの支柱１２が既設柵の支柱８１に取り付けられる。このため、作業者が通路側Ｂから施工することが可能となる。
【００５７】
本実施形態に係る取付金具１によれば、第２平板部３は、平面視で第１平板部２に対して略直交に設けられる。これにより、既設柵の支柱８１が設置された位置から機械設備側Ａ又は通路側Ｂにずらした位置で、フェンスの支柱１２を既設柵の支柱８１に取り付けることができる。このため、一の既設柵の支柱８１とこれに隣接する他の既設柵の支柱８１との距離が狭い場合であっても、既設柵の支柱８１にフェンスの支柱１２を取り付けることができ、汎用性を更に高くすることが可能となる。
【００５８】
本実施形態に係る取付金具１によれば、第１締結部４は、第１平板部２とフェンスの支柱１２とを貫通する第１ボルト４０と、第１ボルト４０に螺着される第１ナット４９と、を有する。これにより、第１平板部２とフェンスの支柱１２とを強固に締結することが可能となる。
【００５９】
本実施形態に係る取付金具１によれば、第２締結部５は、第２平板部３を貫通する第２ボルト５３と、第２ボルトに螺着される第２ナット５９とを有し、第２ボルト５３は、既設柵の支柱８１を挟んで配置されるとともに第２ナット５９が螺着される一対の第２挟持部５１、５１と、既設柵の支柱８１を挟んで第２平板部３の反対側に配置されるとともに一対の第２挟持部５１、５１を繋ぐ第２繋ぎ部５２と、を有する。これにより、既設柵の支柱８１が第２平板部３と第２ボルト５３とにより囲われて、既設柵の支柱８１と第２平板部３とが締結される。このため、第２平板部３が既設柵の支柱８１に当接できる位置に、取付金具１を取り付けることが可能となり、汎用性をより高くすることが可能となる。
【００６０】
本実施形態に係る取付金具１によれば、第２ボルト５３は、一対の第２挟持部５１、５１が互いに略同一の長さであり、第２繋ぎ部５２が湾曲される。このとき、既設柵の支柱８１が上下方向Ｚから見て円形状に形成される場合、既設柵の支柱８１に対して、一対の第２挟持部５１、５１と、第２繋ぎ部５２とを当接させることができる。このため、既設柵の支柱８１と第２平板部３とをより強固に締結できる。
【００６１】
本実施形態に係る取付金具１によれば、第１平板部２と第２平板部３と連結する補強部材６を有する。これにより、フェンス１０や既設柵８に外力が作用したとしても、第１平板部２と第２平板部３とが変形するのを抑制することができる。このため、フェンスの支柱１２と既設柵の支柱８１とがより強固に取り付けられる。
【００６２】
本実施形態に係る取付金具１によれば、補強部材６が第１平板部２の上端と第２平板部３の上端とに設けられる。これにより、第１締結部４と第２締結部５とに埃等が堆積するのを抑制することが可能となる。
【００６３】
また、本実施形態に係るフェンス１０によれば、取付金具１を備える。これにより、通路側Ｂから施工でき、施工時間を短縮することができ、汎用性の高くすることが可能となる。
【００６４】
本実施形態に係るフェンスの取付方法によれば、フェンスの支柱１２と第１平板部２とを、第１締結部４により締結する第１締結工程と、既設柵の支柱８１と第２平板部３とを、第２締結部５により締結する第２締結工程と、を備える。これにより、第１平板部２とフェンスの支柱１２とが当接されるため、第１平板部２とフェンスの支柱１２とを安定した状態で締結できる。また、第２平板部３と既設柵の支柱８１とが当接されるため、第２平板部３と既設柵の支柱８１とを安定した状態で締結できる。このため、取付金具１がフェンスの支柱１２及び既設柵の支柱８１に対して回転することなく、既設柵の支柱８１に対するフェンスの支柱１２の位置を容易に固定することができる。その結果、既設柵８にフェンス１０を取り付ける施工時間を短縮することができる。
【００６５】
また、本実施形態に係るフェンスの取付方法によれば、第１締結工程と、第２締結工程と、を備える。これにより、フェンスの支柱１２の形状によらず、フェンスの支柱１２と第１平板部２とを第１締結部４により締結できる。また、既設柵の支柱８１の形状によらず、既設柵の支柱８１と第２平板部３とを第２締結部５により締結できる。このため、汎用性を高くすることが可能となる。
【００６６】
また、本実施形態に係るフェンスの取付方法によれば、取付金具１を用いて、フェンスの支柱１２を既設柵の支柱８１に取り付ける。このため、作業者が通路側Ｂから施工することが可能となる。
【００６７】
（第１変形例）
図７（ａ）は、取付金具１の第１変形例を上下方向Ｚから見た図であり、図７（ｂ）は、取付金具１の第２変形例を上下方向Ｚから見た図であり、図７（ｃ）は、取付金具１の第３変形例を上下方向Ｚから見た図である。図７（ａ）〜図７（ｃ）に示すように、第１変形例〜第３変形例の取付金具１は、補強部材６が省略される点で、上述した実施形態の取付金具１と異なる。なお、図７（ｂ）及び図７(ｃ)等に示すように、第１平板部２と第２平板部３の厚みを厚くしている部材、（例えば、熱間圧延のアングル鋼など）を取付金具１に用いて補強部材６が省略される。少なくとも、設置環境やフェンスパネル１１や既設柵８にかかる荷重等により、取付金具１が壊れない程度の強度を備えているのであれば、補強部材６を設けなくても良い。
【００６８】
図７（ａ）に示すように、取付金具１は、一枚の板材が略直角に折り曲げられることにより、平面視で、第２平板部３が第１平板部２に略直交に設けられてもよい。
【００６９】
（第２変形例）
図７（ｂ）に示すように、取付金具１は、熱間圧延の等辺アングル鋼が用いられ、第２平板部３が第１平板部２に対して略直角に形成されてもよい。取付金具１は、熱間圧延の等辺アングル鋼が用いられることにより、第１平板部２と第２平板部３の厚みを厚くすることで、強度を向上させることができる。
【００７０】
（第３変形例）
図７（ｃ）に示すように、取付金具１は、熱間圧延の不等辺アングル鋼が用いられ、第２平板部３が第１平板部２に対して略直角に形成されてもよい。取付金具１は、熱間圧延の不等辺アングル鋼が用いられることにより、第１平板部２と第２平板部３の厚みを厚くすることで、強度を向上させることができる。
【００７１】
（第４変形例）
図８（ａ）は、取付金具１の第４変形例を上下方向Ｚから見た図であり、図８（ｂ）は、取付金具１の第５変形例を上下方向Ｚから見た図であり、図８（ｃ）は、取付金具１の第６変形例を上下方向Ｚから見た図である。図８（ａ）〜図８（ｃ）に示すように、第４変形例〜第６変形例の取付金具１は、補強部材６の形状が、上述した実施形態の取付金具１と異なる。
【００７２】
図８（ａ）に示すように、取付金具１は、上下方向Ｚから見て略台形状の板材からなる補強部材６を有する。これにより、取付金具１は、第１平板部２の先端部近傍と第２平板部３の先端部近傍とが連結されて、第１平板部２と第２平板部３とが部分的に連結される。このため、補強部材６が省略される場合よりも、第１平板部２と第２平板部３とが変形するのを抑制でき、フェンスの支柱１２と既設柵の支柱８１とがより強固に取り付けられる。
【００７３】
（第５変形例）
図８（ｂ）に示すように、取付金具１は、上下方向Ｚから見て略台形状の板材からなる補強部材６を有する。これにより、取付金具１は、第１平板部２の先端部から中央部近傍までと第２平板部３の先端部から中央部近傍までとが連結されて、第１平板部２と第２平板部３とが部分的に連結される。このため、補強部材６が省略される場合よりも、第１平板部２と第２平板部３とが変形するのを抑制でき、フェンスの支柱１２と既設柵の支柱８１とがより強固に取り付けられる。
【００７４】
（第６変形例）
図８（ｃ）に示すように、取付金具１は、棒状の補強部材６を有する。これにより、取付金具１は、第１平板部２の先端部と第２平板部３の先端部とが連結されて、第１平板部２と第２平板部３とが部分的に連結される。このため、補強部材６が省略される場合よりも、第１平板部２と第２平板部３とが変形するのを抑制でき、フェンスの支柱１２と既設柵の支柱８１とがより強固に取り付けられる。
【００７５】
（第７変形例）
図９は、取付金具１の第７変形例を上下方向Ｚから見た図である。図に示すように、取付金具１は、第１平板部２と第２平板部３とが同一平面上に形成される点で、上述した実施形態の取付金具１と異なる。
【００７６】
取付金具１は、第１平板部２と第２平板部３とが同一平面上に形成される。これにより、フェンスの支柱１２と既設柵の支柱８１とが並んで配置される場合であっても、フェンスの支柱１２を既設柵の支柱８１に対して取り付けることができる。なお、取付金具１は、第１平板部２と第２平板部３とが段違いに平行であってもよい。
【００７７】
（第８変形例）
図１０（ａ）は、取付金具１の第８変形例を上下方向Ｚから見た図である。図１０（ａ）に示すように、第８変形例の取付金具１は、第２ボルト５４が、上述した実施形態の取付金具１の第２ボルト５３と異なる。
【００７８】
第２ボルト５４は、上下方向Ｚから見てＶ字状に形成されるＶ字ボルトが用いられる。第２ボルト５４は、既設柵の支柱８１を挟んで配置される一対の第２挟持部５１、５１と、既設柵の支柱８１を挟んで第２平板部３の反対側に配置されるとともに一対の第２挟持部５１、５１を繋ぐ第２繋ぎ部５２と、を有する。第２ボルト５４は、一対の第２挟持部５１、５１は、互いに異なる長さで形成される。第２挟持部５１は、先端部にネジ山が形成され、第２ナット５９が螺着される。第２繋ぎ部５２は、上下方向Ｚから見て、第２平板部３に対して傾斜する方向に延びて形成される。
【００７９】
本実施形態によれば、第２ボルト５４は、一対の第２挟持部５１、５１が互いに異なる長さであり、第２繋ぎ部５２が上下方向Ｚから見て、第２平板部３に対して傾斜する方向に延びて形成される。このとき、既設柵の支柱８１が上下方向Ｚから見てＬ字状に形成される場合、既設柵の支柱８１に対して、一対の第２挟持部５１、５１と、第２繋ぎ部５２とを当接させることができる。このため、既設柵の支柱８１と第２平板部３とをより強固に締結できる。即ち、既設柵の支柱８１が上下方向Ｚから見てＬ字状に形成される場合、第８変形例の取付金具１が好適に用いられる。
【００８０】
（第９変形例）
図１０（ｂ）は、取付金具１の第９変形例を上下方向Ｚから見た図である。図１０（ｂ）に示すように、第９変形例の取付金具１は、第２ボルト５５が、上述した実施形態の取付金具１の第２ボルト５３と異なる。
【００８１】
第２ボルト５５は、上下方向Ｚから見てコの字状に形成されるコの字ボルトが用いられる。第２ボルト５５は、既設柵の支柱８１を挟んで配置される一対の第２挟持部５１、５１と、既設柵の支柱８１を挟んで第２平板部３の反対側に配置されるとともに一対の第２挟持部５１、５１を繋ぐ第２繋ぎ部５２と、を有する。第２ボルト５５は、一対の第２挟持部５１、５１は、互いに略同一の長さで形成される。第２挟持部５１は、先端部にネジ山が形成され、第２ナット５９が螺着される。第２繋ぎ部５２は、上下方向Ｚから見て、第２平板部３に対して平行する方向に延びて形成される。
【００８２】
本実施形態によれば、第２ボルト５５は、一対の第２挟持部５１、５１が互いに略同一の長さであり、第２繋ぎ部５２が上下方向Ｚから見て、第２平板部３に対して平行する方向に延びて形成される。このとき、既設柵の支柱８１が上下方向Ｚから見て矩形状に形成される場合、既設柵の支柱８１に対して、一対の第２挟持部５１、５１と、第２繋ぎ部５２とを当接させることができる。このため、既設柵の支柱８１と第２平板部３とをより強固に締結できる。即ち、既設柵の支柱８１が上下方向Ｚから見て矩形状に形成される場合、第９変形例の取付金具１が好適に用いられる。
【００８３】
（第１０変形例）
図１１（ａ）は、取付金具１の第１０変形例を上下方向Ｚから見た図である。図１１（ａ）に示すように、第１０変形例の取付金具１は、第１ボルト４３が、上述した実施形態の取付金具１の第１ボルト４０と主に異なる。
【００８４】
第１ボルト４３は、上下方向Ｚから見てＵ字状に形成されるＵ字ボルトが用いられる。第１ボルト４３は、フェンスの支柱１２を挟んで配置される一対の第１挟持部４１、４１と、フェンスの支柱１２を挟んで第１平板部２の反対側に配置されるとともに一対の第１挟持部４１、４１を繋ぐ第１繋ぎ部４２と、を有する。第１ボルト４３は、一対の第１挟持部４１、４１は、互いに略同一の長さで形成される。第１挟持部４１は、先端部にネジ山が形成され、第１ナット４９が螺着される。第１繋ぎ部４２は、湾曲した形状に形成される。
【００８５】
本実施形態によれば、第１ボルト４３は、一対の第１挟持部４１、４１が互いに略同一の長さであり、第１繋ぎ部４２が湾曲した形状に形成される。このとき、フェンスの支柱１２が上下方向Ｚから見て円形状に形成される場合、フェンスの支柱１２に対して、一対の第１挟持部４１、４１と、第１繋ぎ部４２とを当接させることができる。このため、フェンスの支柱１２と第１平板部２とをより強固に締結できる。即ち、フェンスの支柱１２が上下方向Ｚから見て円形状に形成される場合、第１０変形例の取付金具１が好適に用いられる。
【００８６】
本実施形態によれば、第１ボルト４３と第２ボルト５３とが、上下方向Ｚから見てＵ字状に形成されるＵ字ボルトが用いられる。これにより、第１ボルト４３及び第２ボルト５３とをフェンスの支柱１２と既設柵の支柱８１とに対して貫通させる必要がない。このため、取付金具１の取り付け位置を、フェンスの支柱１２と既設柵の支柱８１とに当接される位置で自由に設定することが可能となる。
【００８７】
（第１１変形例）
図１１（ｂ）は、取付金具１の第１１変形例を上下方向Ｚから見た図である。図１１（ｂ）に示すように、第１１変形例の取付金具１は、第１ボルト４４と第２ボルト５４が、上述した第１０変形例の取付金具１の第１ボルト４３と第２ボルト５３と主に異なる。
【００８８】
第１ボルト４４は、上下方向Ｚから見てＶ字状に形成されるＶ字ボルトが用いられる。第１ボルト４４は、フェンスの支柱１２を挟んで配置される一対の第１挟持部４１、４１と、フェンスの支柱１２を挟んで第１平板部２の反対側に配置されるとともに一対の第１挟持部４１、４１を繋ぐ第１繋ぎ部４２と、を有する。第１ボルト４４は、一対の第１挟持部４１、４１は、互いに異なる長さで形成される。第１挟持部４１は、先端部にネジ山が形成され、第１ナット４９が螺着される。第１繋ぎ部４２は、上下方向Ｚから見て、第１平板部２に対して傾斜する方向に延びて形成される。
【００８９】
本実施形態によれば、第１ボルト４４は、一対の第１挟持部４１、４１が互いに異なる長さであり、第１繋ぎ部４２が上下方向Ｚから見て、第１平板部２に対して傾斜する方向に延びて形成される。このとき、フェンスの支柱１２が上下方向Ｚから見てＬ字状に形成される場合、フェンスの支柱１２に対して、一対の第１挟持部４１、４１と、第１繋ぎ部４２とを当接させることができる。このため、フェンスの支柱１２と第１平板部２とをより強固に締結できる。即ち、フェンスの支柱１２が上下方向Ｚから見てＬ字状に形成される場合、第１１変形例の取付金具１が好適に用いられる。
【００９０】
本実施形態によれば、第１ボルト４４と第２ボルト５４とが、上下方向Ｚから見てＶ字状に形成されるＶ字ボルトが用いられる。これにより、第１ボルト４４及び第２ボルト５４とをフェンスの支柱１２と既設柵の支柱８１とに対して貫通させる必要がない。このため、取付金具１の取り付け位置を、フェンスの支柱１２と既設柵の支柱８１とに当接される位置で自由に設定することが可能となる。
【００９１】
（第１２変形例）
図１２（ａ）は、取付金具１の第１２変形例を上下方向Ｚから見た図である。図１２（ａ）に示すように、第１２変形例の取付金具１は、第１ボルト４５と第２ボルト５５とが、上述した第１０変形例の取付金具１の第１ボルト４３と第２ボルト５３と主に異なる。
【００９２】
第１ボルト４５は、フェンスの支柱１２を挟んで配置される一対の第１挟持部４１、４１と、フェンスの支柱１２を挟んで第１平板部２の反対側に配置されるとともに一対の第１挟持部４１、４１を繋ぐ第１繋ぎ部４２と、を有する。第１ボルト４５は、上下方向Ｚから見てコの字状に形成されるコの字ボルトが用いられる。第１ボルト４５は、一対の第１挟持部４１、４１は、互いに略同一の長さで形成される。第１挟持部４１は、先端部にネジ山が形成され、第１ナット４９が螺着される。第１繋ぎ部４２は、上下方向Ｚから見て、第１平板部２に対して平行する方向に延びて形成される。
【００９３】
本実施形態によれば、第１ボルト４５は、一対の第１挟持部４１、４１が互いに略同一の長さであり、第１繋ぎ部４２が上下方向Ｚから見て、第１平板部２に対して平行する方向に延びて形成される。このとき、フェンスの支柱１２が上下方向Ｚから見て矩形状に形成される場合、フェンスの支柱１２に対して、一対の第１挟持部４１、４１と、第１繋ぎ部４２とを当接させることができる。このため、フェンスの支柱１２と第１平板部２とをより強固に締結できる。即ち、フェンスの支柱１２が上下方向Ｚから見て矩形状に形成される場合、第１２変形例の取付金具１が好適に用いられる。
【００９４】
本実施形態によれば、第１ボルト４５と第２ボルト５５とが、上下方向Ｚから見てコの
字状に形成されるコの字ボルトが用いられる。これにより、第１ボルト４５及び第２ボルト５５とをフェンスの支柱１２と既設柵の支柱８１とに対して貫通させる必要がない。このため、取付金具１の取り付け位置を、フェンスの支柱１２と既設柵の支柱８１とに当接される位置で自由に設定することが可能となる。
【００９５】
（第１３変形例）
図１２（ｂ）は、取付金具１の第１３変形例を上下方向Ｚから見た図である。図１２（ｂ）に示すように、第１３変形例の取付金具１は、第１ボルト４６と第２ボルト５６が、上述した第１０変形例の取付金具１の第１ボルト４３と第２ボルト５３と主に異なる。
【００９６】
第１ボルト４６は、上下方向Ｚから見てＷ字状に形成されるＷ字ボルトが用いられる。第１ボルト４６は、フェンスの支柱１２を挟んで配置される一対の第１挟持部４１、４１と、フェンスの支柱１２を挟んで第１平板部２の反対側に配置されるとともに一対の第１挟持部４１、４１を繋ぐ第１繋ぎ部４２と、を有する。第１ボルト４６は、一対の第１挟持部４１、４１は、互いに略同一の長さで形成される。第１挟持部４１は、先端部にネジ山が形成され、第１ナット４９が螺着される。第１繋ぎ部４２は、上下方向Ｚから見て、Ｕ字状に形成される。
【００９７】
本実施形態によれば、第１ボルト４６は、一対の第１挟持部４１、４１が互いに略同一の長さであり、第１繋ぎ部４２が上下方向Ｚから見て、Ｗ字状に形成される。このとき、フェンスの支柱１２が上下方向Ｚから見てハット状に形成される場合、フェンスの支柱１２に対して、一対の第１挟持部４１、４１と、第１繋ぎ部４２とを当接させることができる。このため、フェンスの支柱１２と第１平板部２とをより強固に締結できる。即ち、フェンスの支柱１２が上下方向Ｚから見てハット状に形成される場合、第１３変形例の取付金具１が好適に用いられる。
【００９８】
第２ボルト５６は、上下方向Ｚから見てＷ字状に形成されるＷ字ボルトが用いられる。第２ボルト５６は、既設柵の支柱８１を挟んで配置される一対の第２挟持部５１、５１と、既設柵の支柱８１を挟んで第２平板部３の反対側に配置されるとともに一対の第２挟持部５１、５１を繋ぐ第２繋ぎ部５２と、を有する。第２ボルト５６は、一対の第２挟持部５１、５１は、互いに略同一の長さで形成される。第２挟持部５１は、先端部にネジ山が形成され、第２ナット５９が螺着される。第２繋ぎ部５２は、上下方向Ｚから見て、Ｕ字状に形成される。
【００９９】
本実施形態によれば、第２ボルト５６は、一対の第２挟持部５１、５１が互いに略同一の長さであり、第２繋ぎ部５２が上下方向Ｚから見て、Ｕ字状に形成される。このとき、既設柵の支柱８１が上下方向Ｚから見てハット状に形成される場合、既設柵の支柱８１に対して、一対の第２挟持部５１、５１と、第２繋ぎ部５２とを当接させることができる。このため、既設柵の支柱８１と第２平板部３とをより強固に締結できる。即ち、既設柵の支柱８１が上下方向Ｚから見てハット状に形成される場合、第１３変形例の取付金具１が好適に用いられる。
【０１００】
本実施形態によれば、第１ボルト４６と第２ボルト５６とが、上下方向Ｚから見てＷ字字状に形成されるＷ字ボルトが用いられる。これにより、第１ボルト４６及び第２ボルト５６とをフェンスの支柱１２と既設柵の支柱８１とに対して貫通させる必要がない。このため、取付金具１の取り付け位置を、フェンスの支柱１２と既設柵の支柱８１とに当接される位置で自由に設定することが可能となる。
【０１０１】
（第１４変形例）
図１３（ａ）〜図１３（ｃ）は、取付金具１の第１４変形例を上下方向Ｚから見た図である。図１３（ａ）〜図１３（ｃ）に示すように、第１４変形例の取付金具１は、第２ボルト５０が、上述した実施形態の取付金具１の第２ボルト５３と主に異なる。
【０１０２】
第２締結部５は、既設柵の支柱８１と第２平板部３とを締結する。第２締結部５は、既設柵の支柱８１と第２平板部３の孔３ａとに貫通される第２ボルト５０と、第２ボルト５０に螺着される第２ナット５９とを有する。第２ボルト５０は、軸部が直線状に延びた棒状に形成される。
【０１０３】
図１３（ａ）に示すように、第２ボルト５０は、上下方向Ｚから見て円形状に形成される既設柵の支柱８１に貫通される。図１３（ｂ）に示すように、第２ボルト５０は、上下方向Ｚから見てＬ字状に形成される既設柵の支柱８１に貫通される。図１３（ｃ）に示すように、第２ボルト５０は、上下方向Ｚから見て矩形状に形成される既設柵の支柱８１に貫通される。なお、第１ボルト４０は、上下方向Ｚから見て円形状に形成されるフェンスの支柱１２に貫通される。
【０１０４】
本実施形態によれば、第２締結部５は、第２平板部３と既設柵の支柱８１とを貫通する第２ボルト５０と、第２ボルト５０に螺着される第２ナット５９と、を有する。これにより、第２平板部３と既設柵の支柱８１とを強固に締結することが可能となる。
【０１０５】
なお、取付金具１は、例えば上述した各変形例を組み合わせた構成を備えてもよい。
【０１０６】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【０１０７】
１      ：取付金具
２      ：第１平板部
２ａ    ：孔
３      ：第２平板部
３ａ    ：孔
４      ：第１締結部
４０    ：第１ボルト
４１    ：第１挟持部
４２    ：第１繋ぎ部
４３    ：第１ボルト
４４    ：第１ボルト
４５    ：第１ボルト
４６    ：第１ボルト
４９    ：第１ナット
５      ：第２締結部
５０    ：第２ボルト
５１    ：第２挟持部
５２    ：第２繋ぎ部
５３    ：第２ボルト
５４    ：第２ボルト
５５    ：第２ボルト
５６    ：第２ボルト
５９    ：第２ナット
６      ：補強部材
８      ：既設柵
８１    ：既設柵の支柱
８２    ：横桟
１０    ：フェンス
１１    ：フェンスパネル
１１ａ  ：縦線材
１１ｂ  ：横線材
１２    ：フェンスの支柱
１２ａ  ：孔
１３    ：固定金具
Ａ      ：機械設備側
Ｂ      ：通路側
Ｚ      ：上下方向
【図１】
2020165261.tif 000003
【図２】
2020165261.tif 000004
【図３】
2020165261.tif 000005
【図４】
2020165261.tif 000006
【図５】
2020165261.tif 000007
【図６】
2020165261.tif 000008
【図７】
2020165261.tif 000009
【図８】
2020165261.tif 000010
【図９】
2020165261.tif 000011
【図１０】
2020165261.tif 000012
【図１１】
2020165261.tif 000013
【図１２】
2020165261.tif 000014
【図１３】
2020165261.tif 000015
【図１４】
2020165261.tif 000016